(57)【要約】【課題】  構造が簡単であり、コストダウンを図れると共に、液晶表示板の倒れ防止を確実に行うことができ、従来必要としていたホルダーやクッション等で液晶表示板の倒れに対応する必要がなくて余分な作業を必要とすることがないＤＶＤプレーヤーにおける液晶表示板の倒れ防止構造を提供する。  【解決手段】  ＤＶＤプレーヤー１の内部に基板２が配置され、この基板２の上側にローダー本体３が配置されており、基板２には液晶表示板４が実装されていて、液晶表示板４を倒れないように構成したＤＶＤプレーヤーにおける液晶表示板の倒れ防止構造において、ローダー本体３の側壁部３ａに、基板２上の液晶表示板４の裏面に当接する左右一対の縦板状の倒れ防止用リブ５が一体に突設され、これら倒れ防止用リブ５の下部側にローダー本体３の側壁部３ａと一体の補強部６がそれぞれ設けられている。【選択図】  図２
2007264514.tif 000002
【特許請求の範囲】
【請求項１】
ＤＶＤプレーヤーの内部に基板が配置され、この基板の上側にローダー本体が配置されており、前記基板には液晶表示板が実装されていて、前記液晶表示板を倒れないように構成したＤＶＤプレーヤーにおける液晶表示板の倒れ防止構造において、前記ローダー本体の側壁部に、前記基板上の液晶表示板の裏面に当接する左右一対の縦板状の倒れ防止用リブが一体に突設され、これら倒れ防止用リブの下部側に前記ローダー本体の側壁部と一体の補強部がそれぞれ設けられていることを特徴とするＤＶＤプレーヤーにおける液晶表示板の倒れ防止構造。
【請求項２】
ＤＶＤプレーヤーの内部に基板が配置され、この基板の上側にローダー本体が配置されており、前記基板には液晶表示板が実装されていて、前記液晶表示板を倒れないように構成したＤＶＤプレーヤーにおける液晶表示板の倒れ防止構造において、前記ローダー本体の側壁部に、前記基板上の液晶表示板の裏面に当接する倒れ防止用リブが一体に突設されていることを特徴とするＤＶＤプレーヤーにおける液晶表示板の倒れ防止構造。
【請求項３】
前記倒れ防止用リブの先端に、前記液晶表示板の裏面に当接する平板状の当て板部が一体に設けられている請求項２に記載のＤＶＤプレーヤーにおける液晶表示板の倒れ防止構造。
【発明の詳細な説明】
【技術分野】
【０００１】
本発明は、ＤＶＤプレーヤーの内部に基板が配置され、この基板の上側にローダー本体が配置されており、基板には液晶表示板が実装されていて、液晶表示板を倒れないように構成したＤＶＤプレーヤーにおける液晶表示板の倒れ防止構造に関するものである。
【背景技術】
【０００２】
従来、この種のＤＶＤプレーヤーにおける液晶表示板の倒れ防止構造は、ローダー本体に液晶表示板との隙間を埋めるクッションを貼り付けたり、ホルダーを使用して液晶表示板の倒れを防止していた。従って、クッションやホルダーを必要とするために、コスト高になり、また、クッションを貼り付けたりする作業が厄介であるという問題があった。
【０００３】
第１の従来技術を図４、図５に示す。この従来の電子機器の表示装置は、図４、図５に示すように、表示窓１１２が形成されたケース１１１と、このケース１１１より内側に所定距離だけ離れて配設された配線基板１２１と、本体部１３３と脚部１３２とを有し本体部１３３をケース１１１の表示窓１１２に対応した設置位置に位置決めした状態で脚部１３２を配線基板１２１に取付けた表示器１３１とを備え、表示器１３１の本体部１３３と当接係合しこの本体部１３３に外力が作用した場合に外力に抵抗する抵抗力を本体部１３３に付与してこの本体部１３３が配線基板１２１に対して変位するのを規制する変位規制突部１４１をケース１１１側の静止体１３８に設けたものである。（例えば、特許文献１参照）。
【０００４】
ところが、これにおいては、配線基板１２１に変位規制突部１４１を挿入するための孔部１２２を設けなくてはならないために、配線基板１２１のスペースを余分に取るという問題があった。
【０００５】
第２の従来技術を図６、図７、図８に示す。この従来の筐体は、図６、図７、図８に示すように、平板状のシャーシ２２０の端面にパネル２２２の裏面側が接触している。シャーシ２２０の側壁２２０ａに挿通固定されたネジ２３０の先端部が側壁２２０ａから突出している。パネル２２２の裏面側からリブ２２２ａが突出し、側壁２２０ａ側を向く端面に切り欠き部２２６が形成され、その内部にネジ２３０が接触しているものである。（例えば、特許文献２参照）。
【０００６】
ところが、これにおいては、ネジ２３０を必要とするために部品点数が多くなり、構造が複雑であると共にコスト高になるという問題があった。
【特許文献１】実用新案登録第２５００９８５号公報
【特許文献２】特開２００３−７８２５４号公報
【発明の開示】
【発明が解決しようとする課題】
【０００７】
本発明は上記従来の問題に鑑みてなされたものであって、構造が簡単であり、コストダウンを図れると共に、液晶表示板の倒れ防止を確実に行うことができ、従来必要としていたホルダーやクッション等で液晶表示板の倒れに対応する必要がなくて余分な作業を必要とすることがないＤＶＤプレーヤーにおける液晶表示板の倒れ防止構造を提供することを目的としている。  
【課題を解決するための手段】
【０００８】
本発明は、上記課題を解決するために提案されたものであって、請求項１に記載の発明は、ＤＶＤプレーヤーの内部に基板が配置され、この基板の上側にローダー本体が配置されており、前記基板には液晶表示板が実装されていて、前記液晶表示板を倒れないように構成したＤＶＤプレーヤーにおける液晶表示板の倒れ防止構造において、前記ローダー本体の側壁部に、前記基板上の液晶表示板の裏面に当接する左右一対の縦板状の倒れ防止用リブが一体に突設され、これら倒れ防止用リブの下部側に前記ローダー本体の側壁部と一体の補強部がそれぞれ設けられていることを特徴としている。
【０００９】
請求項２に記載の発明は、ＤＶＤプレーヤーの内部に基板が配置され、この基板の上側にローダー本体が配置されており、前記基板には液晶表示板が実装されていて、前記液晶表示板を倒れないように構成したＤＶＤプレーヤーにおける液晶表示板の倒れ防止構造において、前記ローダー本体の側壁部に、前記基板上の液晶表示板の裏面に当接する倒れ防止用リブが一体に突設されていることを特徴としている。
【００１０】
請求項３に記載の発明は、請求項２に記載の発明において、前記倒れ防止用リブの先端に、前記液晶表示板の裏面に当接する平板状の当て板部が一体に設けられているものである。
【発明の効果】
【００１１】
請求項１に記載の発明によれば、ローダー本体の側壁部に一体に突設した倒れ防止用リブを基板上の液晶表示板の裏面に当接するだけで、液晶表示板の倒れを防止できるから、構造が簡単であり、コストダウンを図れると共に液晶表示板をこの倒れ防止用リブによって倒れないように確実に保持することができる。更に、従来必要としていたホルダーやクッション等で液晶表示板の倒れを防止する必要がないので、余分な作業を必要としない。また、倒れ防止用リブには補強部がローダー本体と一体に設けられているから、倒れ防止用リブの強度を強くすることができる。
【００１２】
請求項２に記載の発明によれば、ローダー本体の側壁部に一体に突設した倒れ防止用リブを基板上の液晶表示板の裏面に当接するだけで、液晶表示板の倒れを防止できるから、構造が簡単であり、コストダウンを図れると共に液晶表示板をこの倒れ防止用リブによって倒れないように確実に保持することができる。更に、従来必要としていたホルダーやクッション等で液晶表示板の倒れを防止する必要がないので、余分な作業を必要としない。
【００１３】
請求項３に記載の発明によれば、倒れ防止用リブの先端に平板状の当て板部が設けられているから、液晶表示板に当接する面積を大きくすることができ、液晶表示板の倒れ防止効果を高めることができる。
【発明を実施するための最良の形態】
【００１４】
以下、本発明に係るＤＶＤプレーヤーにおける液晶表示板の倒れ防止構造の実施の形態について、図を参照しつつ説明する。
【００１５】
図１は本発明の第１実施形態のＤＶＤプレーヤーにおける液晶表示板の倒れ防止構造を示す部分斜視図である。
【００１６】
この第１実施形態のＤＶＤプレーヤーにおける液晶表示板の倒れ防止構造は、図１に示すように、ＤＶＤプレーヤー１の筐体（図示略）の内部に、基板２が配置され、この基板２の上側にローダー本体３が配置されていて、基板２に液晶表示板４が実装されている。この液晶表示板４とローダー本体３の側壁部３ａ間には隙間があり、ローダー本体３の側壁部３ａに液晶表示板４の裏面に先端が当接する縦板状の倒れ防止用リブ５が一体に突設されている。
【００１７】
従って、この第１実施形態によれば、ローダー本体３の側壁部３ａに一体に突設した倒れ防止用リブ５を基板２上の液晶表示板４の裏面に当接するだけで、液晶表示板４の倒れを防止できるから、構造が簡単であり、コストダウンを図れると共に液晶表示板４をこの倒れ防止用リブ５によって倒れないように確実に保持することができる。更に、従来必要としていたホルダーやクッション等で液晶表示板４の倒れを防止する必要がないので、余分な作業を必要としない。
【００１８】
図２は第２実施形態のＤＶＤプレーヤーにおける液晶表示板の倒れ防止構造を示す部分斜視図である。尚、上記した第１実施形態と同一部材、同一箇所には同一符号を付して、その説明を省略する。
【００１９】
この第２実施形態のＤＶＤプレーヤーにおける液晶表示板の倒れ防止構造は、図２に示すように、ローダー本体３の側壁部３ａに一体に突設された倒れ防止用リブ５の下部側に、水平向きに三角板状の補強部６が一体に設けられている。
【００２０】
従って、この第２実施形態によれば、倒れ防止用リブ５には補強部６がローダー本体３と一体に設けられているから、倒れ防止用リブ５の強度を強くすることができる。
【００２１】
図３は第３実施形態のＤＶＤプレーヤーにおける液晶表示板の倒れ防止構造を示す部分斜視図である。尚、上記した第１実施形態と同一部材、同一箇所には同一符号を付して、その説明を省略する。
【００２２】
この第３実施形態のＤＶＤプレーヤーにおける液晶表示板の倒れ防止構造は、図３に示すように、倒れ防止用リブ５の先端に、液晶表示板４の裏面に当接する平板状の当て板部７が一体に設けられている。
【００２３】
従って、この第３実施形態によれば、倒れ防止用リブ５の先端に平板状の当て板部７が設けられているから、液晶表示板４に当接する面積を大きくすることができ、液晶表示板４の倒れ防止効果を高めることができる。
【図面の簡単な説明】
【００２４】
【図１】本発明の第１実施形態のＤＶＤプレーヤーにおける液晶表示板の倒れ防止構造を示す部分斜視図である。
【図２】第２実施形態のＤＶＤプレーヤーにおける液晶表示板の倒れ防止構造を示す部分斜視図である。
【図３】第３実施形態のＤＶＤプレーヤーにおける液晶表示板の倒れ防止構造を示す部分斜視図である。
【図４】従来の電子機器の表示装置を示す部分断面図である。
【図５】同表示装置の全体の概略構成を示す分解斜視図である。
【図６】従来の筐体の分解斜視図である。
【図７】同筐体の部分縦断面図である。
【図８】同筐体の部分横断面図である。
【符号の説明】
【００２５】
１        ＤＶＤプレーヤ
２        基板
３        ローダー本体
３ａ      側壁部
４        液晶表示板
５        倒れ防止用リブ
６        補強部
７        当て板部
【図１】
2007264514.tif 000003
【図２】
2007264514.tif 000004
【図３】
2007264514.tif 000005
【図４】
2007264514.tif 000006
【図５】
2007264514.tif 000007
【図６】
2007264514.tif 000008
【図７】
2007264514.tif 000009
【図８】
2007264514.tif 000010